(57)【要約】【課題】人の睡眠時のいびきを防止すると共に、健やかな眠りを提供する。【解決手段】人の後頭部１６に当たる位置に配置したエアーバックＡ６と、首筋から肩口の両側又は背中の中央部に配置したエアーバックＢ７、エアーバックＣ８、エアーバックＤ１８と、これらのエアーバックＡ６、Ｂ７、Ｃ８、Ｄ１８に空気を供給する駆動ポンプ４と、駆動ポンプ４からエアーバックＡ６、Ｂ７、Ｃ８、Ｄ１８への空気の供給を制御する制御弁５と、前記駆動ポンプ４と制御弁５をコントロールするコントローラー３と、人のいびきの音を検知する検知センサー１１を備え、人がいびきをかいた時、そのいびきを検知センサー１１で検知してコントローラー３に伝え、エアーバックＡ６、Ｂ７、Ｃ８、Ｄ１８に空気を入れたり放出する。【選択図】  図２
2004223026.tif 000002
【特許請求の範囲】
【請求項１】
人の後頭部（１６）に当たる位置に配置したエアーバックＡ（６）と、首筋から肩口の両側又は背中の中央部に配置したエアーバックＢ（７）、エアーバックＣ（８）、エアーバックＤ（１８）と、これらのエアーバックＡ（６）、Ｂ（７）、Ｃ（８）、Ｄ（１８）にエアーを供給する駆動ポンプ（４）と、駆動ポンプ（４）からエアーバックＡ（６）、Ｂ（７）、Ｃ（８）、Ｄ（１８）へのエアーの供給を制御する制御弁（５）と、前記駆動ポンプ（４）と制御弁（５）をコントロールするコントローラー（３）と、人のいびきを検知する検知センサー（１１）とを備え、人がいびきをかいた時、そのいびきを検知センサー（１１）で検知してコントローラー（３）に伝え、エアーバックＡ（６）、Ｂ（７）、Ｃ（８）、Ｄ（１８）に空気を入れたり放出することを特徴とするまくら。
【請求項２】
まくら本体（２）の人の後頭部（１６）の下側の位置にまくら本体（２）の材料とは別の通気性材料（１９）を配置したことを特徴とする請求項１記載のまくら。
【請求項３】
まくら本体（２）の人の後頭部（１６）の下側の位置にまくら本体（２）の材料とは別の通気性材料（１９）を配置するとともに、前記後頭部（１６）に当たる部分に吸冷機能を持つジェル材（２０）を配置したことを特徴とする請求項１記載のまくら。
【請求項４】
人の肩口の部分にヒーター（２１）を設けるとともに、このヒーター（２１）の加熱と非加熱の切り替えができるようにしたことを特徴とする請求項１記載のまくら。
【請求項５】
人の後頭部（１６）を冷却できるように冷却部（２３）を配置するとともに、冷却および非冷却の切替えができることを特徴とする請求項１記載のまくら。
【請求項６】
人の首筋から肩口の両側に設けたエアーバックＢ（７）、エアーバックＣ（８）へ交互に空気を入れたり出したりできる切り替えモードを設けたことを特徴とする請求項１記載のまくら。
【請求項７】
まくら本体（２）内にスピーカー（２９）を内蔵し、このスピーカー（２９）に所定の時間音声を流す切タイマーと朝目覚める時に音声を流す目覚ましタイマー制御部を繋げたことを特徴とした請求項１記載のまくら。
【発明の詳細な説明】
【０００１】
【発明の属する技術分野】
本発明は睡眠中のいびきを防止すると共に、首筋のストレッチ、頭部の冷却、肩口の暖め、音楽による睡眠時のリラックス、目覚め時の音楽による爽快感等快適な睡眠を得るためのまくらに関するものである。
【０００２】
【従来の技術】
従来、いびき防止用のまくらとして特開平７−１５５２４６号公報（特許文献１）に示すものがある。
【０００３】
このものは、まくらの外皮の内部に長手方向に沿った二つの仕切りを設けて三つの収納部を形成し、この収納部の中央部に羽毛又は羽根を収容し、両側の収納部に小パイプ体からなる充填材を収納したものであり、これによって個人差のある首形状に対応して形状変化を行ない、寝姿にフィットすることによりいびき防止を図ったものである。
【０００４】
【特許文献１】
特開平７−１５５２４６号公報
【０００５】
【発明が解決しようとする課題】
いびきの一番の原因は、眠ると舌根が後退し、咽頭筋の緊張が低下して上気道が狭くなることにより呼吸のための空気が通る通路が狭くなり、空気圧が高くなって上気道を通過した空気が広い空間に拡散して乱流が発生し、これがいびきとなるものである。
【０００６】
これに対して上記従来のまくらでは、寝た当初は上気道が確保できていびきが出にくい位置にまくらがくるようにすることはできるが、寝返り等によって頭の位置や体の位置が変わると首の位置が上気道を確保できる位置よりずれ、上気道が塞がれていびきが出るようになる。
【０００７】
また、寝ている人は自分がいびきをかいている自覚がないため、頭および体の位置を変えていびきのでないようにすることは困難であった。
【０００８】
【課題を解決するための手段】
本発明は上記に鑑みなされたもので、請求項１では、人の後頭部に当たる位置に配置したエアーバックＡと、首筋から肩口の両側又は背中の中央部に配置したエアーバックＢ、エアーバックＣ、エアーバックＤと、これらのエアーバックＡ、Ｂ、Ｃ、Ｄにエアーを供給する駆動ポンプと、駆動ポンプからエアーバックＡ、Ｂ、Ｃ、Ｄへのエアーの供給を制御する制御弁と、前記駆動ポンプと制御弁をコントロールするコントローラーと、人のいびきを検知する検知センサーとを備え、人がいびきをかいた時、そのいびきを検知センサーで検知してコントローラーに伝え、エアーバックＡ、Ｂ、Ｃ、Ｄに空気を入れたり放出するものである。
【０００９】
また、請求項２では、まくら本体の人の後頭部の下側の位置にまくら本体の材料とは別の通気性材料を配置したものである。
【００１０】
また、請求項３では、まくら本体の人の後頭部の下側の位置にまくら本体の材料とは別の通気性材料を配置するとともに、前記後頭部に当たる部分に吸冷機能を持つジェル材を配置したものである。
【００１１】
また、請求項４では、人の肩口の部分にヒーターを設けるとともに、このヒーターの加熱と非加熱の切り替えができるようにしたものである。
【００１２】
また、請求項５では、人の後頭部を冷却できるように冷却部を配置するとともに、冷却および非冷却の切替えができるようにしたものである。
【００１３】
さらに、請求項６では、人の首筋から肩口の両側に設けたエアーバックＢ、エアーバックＣへ交互に空気を入れたり出したりできる切り替えモードを設けたものである。
【００１４】
さらに、請求項７では、まくら本体内にスピーカーを内蔵し、このスピーカーに所定の時間音声を流す切タイマーと朝目覚める時に音声を流す目覚ましタイマー制御部を繋げたものである。
【００１５】
本発明の請求項１によれば、いびきをかいた時、そのいびきを止めるように頭および体の向きを変えることにより、いびきを止めるまくらを提供することができる。
【００１６】
また、いびきの原因である舌根の後退が進行すると、完全に上気道を塞ぎ、無呼吸状態となることがあるが、本発明によれば、無呼吸の防止にも効果がある。
【００１７】
また、請求項２によれば、通気性材料をまくら本体内に配置することにより、いびき防止だけでなく、人の頭の熱及び汗を室内に放出することができ、快適な眠りを提供することができる。
【００１８】
また、請求項３によれば、まくら本体にジェル材を配置することにより、請求項２の効果を更に高めることができる。
【００１９】
また、請求項４によれば、まくら本体により人の肩口を暖めることにより動静脈吻合を開くことができ、手足の静脈に十分に血液を流すことができ、寒い冬の夜も手足が暖かく快適な眠りを提供することができる。
【００２０】
また、請求項５によれば、人の後頭部を冷却できるように冷却部をまくら本体の後頭部に配置したことにより、さらに頭の冷却を確実に行なえ、夏場の暑い時に快適な眠りを提供することができる。
【００２１】
さらに、請求項６によれば、まくら本体内に配置したエアーバックをいびき防止だけでなく、首筋や肩口のストレッチにも使うことができ、さらに快適性を増すことができる。
【００２２】
さらに、請求項７によれば、音楽をタイマーで流すことにより、寝付く時にリラックスして眠ることができ、目覚めの時も目覚ましタイマーで音楽を流すことにより爽快な目覚めを得ることができる。
【００２３】
【発明の実施の形態】
本発明の実施例を図面を参照して説明する。図１は本発明のまくらの一実施例の配置状況図である。図２は同実施例の斜視図である。図３（ａ）（ｂ）は同実施例のいびきセンサー作動時の斜視図である。図４（ａ）（ｂ）は図３と同様の斜視図である。図５は本発明のまくらの他の実施例の配置状況図である。図６は同実施例の斜視図である。図７（ａ）（ｂ）は同実施例のいびきセンサー作動時の斜視図である。図８（ａ）（ｂ）は図７と同様の斜視図である。図９は本発明のまくらの更に他の実施例の斜視図である。図１０及び図１１は本発明のまくらの他の実施例の配置状況図である。
【００２４】
図１及び２において、１は制御器本体、２はこの本体１とは別個のまくら本体で、クッション材（図示せず）と、このクッション材を覆うカバー部材２ａとで構成されている。３は制御器本体１内に設置されたコントローラーである。
【００２５】
４は給気ポンプ等よりなる駆動ポンプで、制御器本体１内に設置されている。５は制御弁で、電磁弁５ａ、５ｂ、５ｃよりなり、駆動ポンプ４と同様に制御器本体１内に設置されており、これを開閉することにより駆動ポンプ４からの給気を後記するエアーバックＡ６及びＢ７に供給したり、エアーバックＡ６及びＢ７内の空気を大気に放出したりする。
【００２６】
６はエアーバックＡで、まくら本体２の人の後頭部１６に位置するクッション材をくり抜き、その中に配置されている。７はエアーバックＢ、８はエアーバックＣで、まくら本体２の左右の首筋から肩口に位置するクッション材をくり抜いてその中に配置されている。但し、これらのエアーバックＡ６、Ｂ７、Ｃ８の配置方法は上記に限定されるものではない。要は、まくら本体２の後頭部と左右の首筋から肩口にしっかりと設置されていればよい。
【００２７】
９ａ、９ｂ、９ｃは各電磁弁５ａ、５ｂ、５ｃとエアーバックＡ６、Ｂ７、Ｃ８を繋ぐホース、１０は分岐管で、駆動ポンプ４からの供給空気を各電磁弁５ａ、５ｂ、５ｃに供給するためのものである。
【００２８】
１１はいびき音を検知するための検知センサーで、音感センサー等よりなり、図示するようにまくら本体２の後頭部側面や制御器本体１等の人のいびき音を検知しやすい場所に取り付けられている。
【００２９】
１２は駆動ポンプ４とコントローラー３を繋ぐリード線で、コントローラー３からのＯＮ、ＯＦＦ制御の信号を駆動ポンプ４に伝える。１３ａ、１３ｂ、１３ｃはコントローラー３と各電磁弁５ａ、５ｂ、５ｃを繋ぐリード線で、コントローラー３からのＯＮ、ＯＦＦの信号を各電磁弁５ａ、５ｂ、５ｃに伝える。１４は検知センサー１１とコントローラー３を繋ぐリード線で、検知センサー１１が捕らえたいびき音の信号をコントローラー３に伝える。
【００３０】
１５は制御器本体１の上面に設けられた運転スイッチであり、これをＯＮ、ＯＦＦすることによりコントローラー３に運転信号を伝えるように構成されている。１７はまくら本体２と制御器本体１を繋ぐ連絡線であり、内部に各電磁弁５ａ、５ｂ、５ｃとエアーバックＡ６、Ｂ７、Ｃ８を繋ぐホース９ａ、９ｂ、９ｃ及び前記したリード線１４が内蔵されている。
【００３１】
このように構成されたまくらは、人が寝る当初は運転スイッチ１５をＯＮすると、コントローラー３から駆動ポンプ４にＯＮ信号が伝達されると共に、まくら本体２の人の後頭部１６に位置するエアーバックＡ６に繋がる電磁弁５ｂに弁開の信号が伝達され、駆動ポンプ４からエアーバックＡ６に空気が供給され、エアーバックＡ６が所定の膨らみになると駆動ポンプ４は運転を停止する。電磁弁５ｂは検知センサー１１からの検知信号が出ない間は開いた状態にあり、エアーバックＡ６の空気が室内に放出されない状態を保持している。
【００３２】
この状態から、検知センサー１１が人のいびき音を検知すると、まず、電磁弁５ｂが閉じ、図３（ｂ）に示すようにエアーバックＡ６の空気を放出する。これにより人の後頭部１６は下がり、上気道が開いた状態となる。図３（ａ）はこの状態を示しており、人の後頭部１６は下側に下がった状態を示している。この状態は人工呼吸でとる姿勢と同じであり。上気道が開いた状態となることは容易に推測できる。
【００３３】
この状態である時間保持し、いびきが止まればこの状態を継続し、ある時間いびきの止まる状態が継続できれば再度駆動ポンプ４をＯＮさせると共に、電磁弁５ｂを開にしてエアーバックＡ６に当初の所定の空気量より少ない量の空気を送り、その後、駆動ポンプ４を停止する。これにより、より寝易い姿勢とすることができる。
【００３４】
次に、前記したように後頭部に当たるエアーバックＡ６に対応した電磁弁５ｂを閉じて空気を放出して上気道を開いてもいびきが止まらない場合は、電磁弁５ｂを開くと共に、駆動ポンプ４の運転を開始してエアーバックＡ６に所定の空気を供給し、ある一定時間経過後に、エアーバックＢ７に対応する電磁弁５ａを開き、図４（ｂ）に示すようにエアーバックＢ７に所定の空気量を供給してエアーバックＢ７を膨らませる。
【００３５】
これにより、人は図４（ａ）に示すように自動的に左側を向いた状態となり、この状態で舌根の後退による上気道の閉塞を防止できるようにする。そして、この状態でいびきが止まるか否かを検知センサー１１で検知し、いびきが止まればこの状態を保持する。また、この状態でもいびきが止まらなければ、右側のエアーバックＢ７に対応した電磁弁５ａを閉じ、エアーバックＢ７の空気を放出し、ある一定の時間が経過した後、左側のエアーバックＣ８に対応した電磁弁５ｃを開くと共に、駆動ポンプ４の運転を開始してエアーバックＣ８に所定量の空気を供給する。
【００３６】
これにより人の体は右側を向いた状態となり、この状態で舌根の後退による上気道の閉塞を防止できるようにする。そして、この状態でいびきが止まるか否かを検知センサー１１で検知していびきが止まればこの状態を保持する。また、この状態で一度いびきが止まっても、時間の経過と共に再度いびきが出れば、左側のエアーバックＣ８に対応した電磁弁５ｃを閉じてエアーバックＣ８の空気を放出し、ある一定時間の後、前記と同様に人の後頭部１６に当たるエアーバックＡ６の空気を放出して上気道の確保ができる状態を確保し、このような運転サイクルでいびきがでない状態に人の体を保持する。
【００３７】
尚、この運転サイクルにおいて、エアーバックＡ６、Ｂ７、Ｃ８の順番は、後頭部１６に位置したエアーバックＡ６の空気の放出が先である必要はなく、色々な順番が考えられる。
【００３８】
また、電磁弁５ａ、５ｂ、５ｃを通した空気の供給および放出の機構は公知の組み合わせで実施できるのでここでは説明しない。
【００３９】
次に、本発明の他の実施例について図５、図６、図７、図８により説明する。
【００４０】
これらの図において、符号の１、２、３、４、５ｂ、６、９ｂ、１１、１３ｂ、１４、１５、１６、１７は上記実施例と同じであり、説明を省略する。
【００４１】
また、この実施例においては、上記したエアーバックＢ７、Ｃ８と、これに繋がる電磁弁５ａ、５ｃは設けられていない。
【００４２】
図において、１８はエアーバックＤで、まくら本体２の人の首筋から背中の中央部に位置するクッション材をくり抜いてその中に配置されている。但し、このエアーバックＤ１８の配置方法は上記に限定されるものではない。要は、まくら本体２の首筋から背中の中央部にしっかりと配置されていればよい。
【００４３】
５ｄはエアーバックＤ１８に空気を供給したり放出する制御弁からなる電磁弁である。９ｄはエアーバックＤ１８と電磁弁５ｄを繋ぐホース、１３ｄは電磁弁５ｄとコントローラー３を繋ぐリード線で、電磁弁５ｄを開いたり閉じたりする信号を送る。
【００４４】
このように構成されたまくらにおいて、人の後頭部１６に当たるエアーバックＡ６の動作については上記実施例と同じであり、エアーバックＡ６の空気が放出されると図７（ａ）のように人の後頭部１６が下がり、上気道を確保するように作動する。
【００４５】
そして、上記実施例と同様に人の後頭部１６に当たるエアーバックＡ６の空気を放出してその後頭部１６を下げることによりいびきが止まらない時は、後頭部１６に当たるエアーバックＡ６に再度空気を供給してエアーバックを膨らまし、ある一定時間経過後、首筋から背中の中央部にあるエアーバックＤ１８に対応する電磁弁５ｄを開くと共に、駆動ポンプ４の運転を開始してエアーバックＤ１８に所定量の空気を供給し、図８（ｂ）に示すようにエアーバックＤ１８を膨らませ、人の体を図８（ａ）に示すように右又は左側に向かせて舌根の後退による上気道の閉塞を防止するようにし、いびきを防止する。
【００４６】
この実施例と上記実施例の違いは、上記実施例が人の体を右および左に傾けることができるのに対して、この実施例では寝ている状態に合わせて人の体を左右に傾けるということである。
【００４７】
次に、図９は本発明のさらに他の実施例を示すものである。この図９において、１９は例えば発泡ポリエチレン等よりなる通気性材料で、人の後頭部１６の下側でエアーバックＡ６より首筋側にクッション材をくり抜いて配置されている。２０は吸熱機能を持つジェル材で、通気性材料１９の上面側に配置されている。
【００４８】
この構成においては、上記したいびき防止の他に通気性材料１９が人の後頭部１６の下側に位置することにより睡眠中の汗等の湿気を通気性材料１９を通して放出することができる。
【００４９】
また、人の後頭部１６の熱気をジェル材２０で吸熱すると共に、通気性材料１９を通して、吸熱したジェル材２０の熱を室内に放出でき、夏場の寝苦しい時などは後頭部１６を涼しくすることができる。
【００５０】
図１０は本発明のさらに他の実施例を示すものである。
【００５１】
この図１０において、いびき防止の構造については図１又は図５に示すものと同様であり、その詳細については省略する。
【００５２】
２１はヒーターで、まくら本体２内において人の肩口に位置するように配置されており、リード線２２によりコントローラー３と接続されている。
【００５３】
この構成においては、ヒーター２１をコントローラー３に設けた切り替えスイッチ（図示せず）により加熱と非加熱に切り替えるものである。具体的には、冬場に手足が寒くて眠れないような場合はコントローラー３の切り替えスイッチをＯＮにすることによりヒーター２１に通電して肩口を暖め、手足の動脈と静脈を結ぶバイパスの役目をする動静脈吻合を開くことができ、手足に血流が流れることで冷えを防止することができる。また、夏場等の暑い時は切り替えスイッチはＯＦＦにすることにより暑くなることはない。
【００５４】
また、図１０において、２３はまくら本体２内において人の後頭部１６の下側に位置するように配置された冷却部、２４は内部に冷媒２５が流れるホースであり、ペルチェ素子２６及び冷媒の循環手段を備えた熱交換器２８を介して冷却部２３に冷気を伝達するものである。２７はコントローラー３とペルチェ素子２６とを繋ぐリード線である。
【００５５】
この構成においては、コントローラー３に設けた切り替えスイッチ（図示せず）を切り替えることにより、冷却部２３により冷却および非冷却の切り替えができる。すなわち、夏場の暑い時はコントローラー３のスイッチをＯＮにすることにより人の後頭部１６を冷やすことができ、寝苦しさを軽減することができる。また、冬場等の寒い時は、コントローラー２７のスイッチをＯＦＦにすることにより、頭部を寒くすることはない。
【００５６】
また、本発明の最初の実施例では、図１に示すように首筋から肩口の両側にエアーバックＢ７とエアーバックＣ８を設けたものであるが、この実施例を利用してエアーバックＢ７とエアーバックＣ８にいびき防止の機能だけでなく首筋のもみ効果を加えることができる。
【００５７】
すなわち、人の首筋から肩口の両側に設けたエアーバックＢ７及びエアーバックＣ８に交互に空気を入れたり出したりする。この空気の供給及び放出は最初の実施例と同様に駆動ポンプ４の運転停止および電磁弁５ａ、５ｃの開閉で行われる。また、コントローラー３に切り替えモードを設けることにより、まくらを睡眠時に使用する以外に首、肩のストレッチをすることができる。すなわち、通常のいびき防止まくらとして使用する時はいびき防止まくらモードとなるように切り替えスイッチ（図示せず）を切り替え、ストレッチ用として使用する場合は、ストレッチモードに切り替えスイッチを切り替えて使用する。ストレッチモードとして使用すると、首筋から肩口に設けた左右のエアーバックＢ７、Ｃ８は交互に膨らんだり、しぼんだりするため、首筋にもみ効果を与える。
【００５８】
本発明のさらなる実施例を図１１により説明する。この図１１において、２９はまくら本体２内に組み込まれたスピーカー、３０はコントローラー３からの音声信号をスピーカー２９に伝達するリード線である。
【００５９】
この実施例においては、まくら本体２に内蔵したスピーカー２９にコントローラー３から音声信号を送ることができるため、タイマーセットをすることで、例えば、寝る時はリラックスできる音楽を寝る時間から何時間後に切るというセットをコントローラー３で行なえば、音楽を聴きながらリラックスした状態で寝ることができる。音楽はコントローラー３にテープ又はＣＤを取り付けるようにすればその音源を利用することもできるし、あらかじめ音声発生素子をコントローラー３内に組み込み、それを音源とすることもできる。
【００６０】
また、同じように朝目覚める時は何時に起きるというタイマーセットをすれば、朝は音楽が目覚ましとなり爽快に目覚めることができる。
【００６１】
【発明の効果】
以上説明したように、本発明の請求項１によれば、いびきをかいた時、そのいびきを止めるように頭および体の向きを変えることにより、いびきを止めるまくらを提供することができる。
【００６２】
また、いびきの原因である舌根の後退が進行すると、完全に上気道を塞ぎ、無呼吸状態となることがあるが、本発明によれば、無呼吸の防止にも効果がある。
【００６３】
また、請求項２によれば、通気性材料をまくら本体内に配置することにより、いびき防止だけでなく、人の頭の熱及び汗を室内に放出することができ、快適な眠りを提供することができる。
【００６４】
また、請求項３によれば、まくら本体にジェル材を配置することにより、請求項２の効果を更に高めることができる。
【００６５】
また、請求項４によれば、まくら本体により人の肩口を暖めることにより動静脈吻合を開くことができ、手足の静脈に十分に血液を流すことができ、寒い冬の夜も、手足が暖かく快適な眠りを提供することができる。
【００６６】
また、請求項５によれば、人の後頭部を冷却できるように冷却部をまくら本体の後頭部に配置することにより、さらに頭の冷却を確実に行なえ、夏場の暑い時に快適な眠りを提供することができる。
【００６７】
さらに、請求項６によれば、まくら本体内に配置したエアーバックをいびき防止だけでなく、首筋や肩口のストレッチにも使うことができ、さらに快適性を増すことができる。
【００６８】
さらに、請求項７によれば、音楽をタイマーで流すことにより、寝付く時にリラックスして眠ることができ、目覚めの時も目覚ましタイマーで音楽を流すことにより爽快な目覚めを得ることができる。
【００６９】
以上のように、本発明によればいびきを防止できるだけでなく、健やかな安眠および目覚めをもたらすまくらを提供することができる。
【図面の簡単な説明】
【図１】本発明の一実施例の配置状況図である。
【図２】本発明の一実施例の斜視図である。
【図３】（ａ）（ｂ）は本発明の一実施例の検知センサー作動時の斜視図である。
【図４】（ａ）（ｂ）は本発明の一実施例の検知センサー作動時の斜視図である。
【図５】本発明の一実施例の配置状況図である。
【図６】本発明の一実施例の斜視図である。
【図７】（ａ）（ｂ）は本発明の一実施例の検知センサー作動時の斜視図である。
【図８】（ａ）（ｂ）は本発明の一実施例の検知センサー作動時の斜視図である。
【図９】本発明の一実施例の斜視図である。
【図１０】本発明の一実施例の配置状況図である。
【図１１】本発明の一実施例の配置状況図である。
【符号の説明】
１  制御器本体
２  まくら本体
３  コントローラー
４  駆動ポンプ
５  制御弁
５ａ、５ｂ、５ｃ  電磁弁
６  エアーバックＡ
７  エアーバックＢ
８  エアーバックＣ
９ａ、９ｂ、９ｃ  ホース
１０  分岐管
１１  検知センサー
１８  エアーバックＤ
１９  通気性材料
２０  ジェル材
２１  ヒーター
２３  冷却部
２６  ペルチェ素子
２８  熱交換器
【図１】
2004223026.tif 000003
【図２】
2004223026.tif 000004
【図３】
2004223026.tif 000005
【図４】
2004223026.tif 000006
【図５】
2004223026.tif 000007
【図６】
2004223026.tif 000008
【図７】
2004223026.tif 000009
【図８】
2004223026.tif 000010
【図９】
2004223026.tif 000011
【図１０】
2004223026.tif 000012
【図１１】
2004223026.tif 000013